(57)【要約】【課題】エネルギーの無駄を低減して乾燥対象物を乾燥させる冷風乾燥装置を提供する。【解決手段】本発明の冷風乾燥装置は、乾燥室内の乾燥対象物を乾燥させる冷風乾燥装置であって、乾燥室内に設置されて、乾燥室内の空気中の水分を、冷却によって除去する除湿用熱交換器と、除湿用熱交換器への冷媒循環を行う圧縮機と、圧縮機を制御する制御部と、を備え、制御部は、乾燥対象物の目標水分量に至るまでの制御関係式に基づいて、圧縮機を制御し目標水分量は、乾燥対象物の種類、量、個数、要求水分量および特性の少なくとも一つで定まる。【選択図】図１
2017146052.tif 000002
【特許請求の範囲】
【請求項１】
乾燥室内の乾燥対象物を乾燥させる冷風乾燥装置であって、
前記乾燥室内に設置されて、前記乾燥室内の空気中の水分を、冷却によって除去する除湿用熱交換器と、
前記除湿用熱交換器への冷媒循環を行う圧縮機と、
前記圧縮機を制御する制御部と、を備え、
前記制御部は、前記乾燥対象物の目標水分量に至るまでの制御関係式に基づいて、前記圧縮機を制御し
前記目標水分量は、前記乾燥対象物の種類、量、個数、要求水分量および特性の少なくとも一つで定まる、冷風乾燥装置。
【請求項２】
前記制御関係式は、前記制御部に動作プログラムとして記憶される、請求項１記載の冷風乾燥装置。
【請求項３】
前記制御関係式は、前記乾燥対象物の目標水分量に至るまでの時間の要素および前記乾燥室内部の湿度の要素を含む、請求項１または２記載の冷風乾燥装置。
【請求項４】
前記制御部は、前記制御関係式に基づいて、前記圧縮機の運転期間および停止期間を制御する、請求項１から３のいずれか記載の冷風乾燥装置
【請求項５】
前記制御部は、前記乾燥対象物の目標水分量に近づくに従い、前記圧縮機の運転期間を減少させる、請求項４記載の冷風乾燥装置。
【請求項６】
前記除湿用熱交換器を収容する筐体と、
前記乾燥室と前記筐体内部との空気を循環させるファンと、を更に備え、
前記制御部は、前記乾燥室内部の湿度に基づいて、前記ファンの回転数を制御する、請求項１から５のいずれか記載の冷風乾燥装置。
【請求項７】
前記制御部は、前記乾燥室内部の湿度が所定値以上の場合には、前記ファンの回転数を増加させ、前記乾燥室内部の湿度が所定値未満の場合には、前記ファンの回転数を減少させる、請求項６記載の冷風乾燥装置。
【請求項８】
前記筐体内部の内部空気を加熱する加熱用熱交換器を更に備え、
前記加熱用熱交換器は、前記圧縮機からの気化冷媒を受けて、前記内部空気を加熱する、請求項６または７記載の冷風乾燥装置。
【請求項９】
前記乾燥対象物の乾燥状態を検出する検出部を更に備え、
前記制御部は、前記乾燥状態に基づいて、前記圧縮機の運転期間および停止期間を制御する、請求項１から８のいずれか記載の冷風乾燥装置。
【請求項１０】
前記乾燥状態は、前記乾燥対象物の表面水分量および前記乾燥対象物の内部水分量の少なくとも一つを含む、請求項９記載の冷風乾燥装置。
【請求項１１】
前記制御部は、前記表面水分量および前記内部水分量の少なくとも一方が小さくなるのに従い、前記圧縮機の運転期間を減少させる、請求項１０記載の冷風乾燥装置。
【請求項１２】
前記圧縮機と前記加熱用熱交換器の間、前記加熱用熱交換器および前記除湿用熱交換器の間および前記除湿用熱交換器と前記圧縮機との間のそれぞれは、冷媒循環路で接続され、
前記乾燥対象物を乾燥させる乾燥モードにおいては、
前記圧縮機は、気化冷媒を前記加熱用熱交換器に送出すると共に、前記除湿用熱交換器からの気化冷媒を受ける循環方向で冷媒を循環させ、
前記除湿用熱交換器の凍結水分を除去する解凍モードにおいては、
前記圧縮機は、気化冷媒を前記除湿用熱交換器に送出すると共に、前記加熱用熱交換器からの気化冷媒を受ける循環方向で冷媒を循環させる、請求項８から１１のいずれか記載の冷風乾燥装置。
【請求項１３】
前記除湿用熱交換器の上方から下方に向けて風を供給する送風ファンを更に備え、
前記送風ファンは、前記解凍モードで解凍された前記除湿用熱交換器の結露水分を下方に落下させる、請求項１２記載の冷風乾燥装置。
【発明の詳細な説明】
【技術分野】
【０００１】
本発明は、必要な乾燥をさせる乾燥対象物に対して乾燥をおこなう冷風乾燥装置に関する。
【背景技術】
【０００２】
必要に応じて室内の湿度を下げて除湿を行う除湿機がさまざまに利用されている。一般的なエアコンなどの空調機器においても、いわゆる「ドライ」と呼ばれる除湿機能が備わっている。このような除湿機能によって、室内の湿度を下げることが行われている。
【０００３】
家庭用、オフィス用、工場用などの除湿装置は、熱交換器によって室内の高い温度を下げることで、室内空気を露点に近づけて、室内空気に含まれる水分を取り除くことで、除湿を行う。このような家庭用やオフィス用の除湿装置は、室内の作業者等が不快に感じない程度の湿度に除湿することを目的としている。このため、除湿の程度や、除湿状態の維持などにおける精度への要求は高くない。
【０００４】
一方で、食品工場などにおいては、乾燥対象物を一定の水分量にまで乾燥させる必要がある。例えば、干物工場においては乾燥対象物である魚を、所定の水分量以下にまで乾燥させる必要がある。あるいは、食肉工場においても、乾燥対象物である食肉を所定の水分量以下にまで乾燥させる必要がある。
【０００５】
このような所定の水分量以下にまで乾燥させる必要がある乾燥対象物を乾燥させるには、室内に冷風を供給しつつ、十分な能力、精度、時間での乾燥を行うことが求められる。
【０００６】
乾燥対象物を、所定の水分量まで乾燥させるために、乾燥対象物の置かれた室内において、室内の空気を取り込んで熱交換器で冷却して除湿し、除湿した空気を室内に戻す、冷風乾燥装置が使用されている。熱交換器で空気を冷却することで、空気が露点に達して水蒸気が液化して水分が除去され、除湿された空気が、室内に戻ることが繰り返されることで、室内の湿度が低下する。
【０００７】
このように室内の湿度が低下することで、室内に置かれている乾燥対象物の水分量が低下する。この低下によって、冷風乾燥装置は、乾燥対象物を所定の水分量まで乾燥させることができる。
【０００８】
このような状況において、干物を乾燥させる冷風乾燥装置に関する技術が提案されている（例えば、特許文献１、特許文献２参照）。
【先行技術文献】
【特許文献】
【０００９】
【特許文献１】特開２０１１−１８５５９２号公報
【特許文献２】特開２０１５−０４５４７６号公報
【発明の概要】
【発明が解決しようとする課題】
【００１０】
特許文献１は、乾燥室と乾燥室内へ吸入する空気量を調整するための吸入量調整手段を設けた吸入部と前記乾燥室内の空気を排出すると共に前記乾燥室内を減圧するための排気装置を設けた排気部とからなり、前記乾燥室内を大気圧から０．１〜３Ｋｐａ減圧した状態で被乾燥物を乾燥させることを特徴とした乾燥機を開示する。
【００１１】
特許文献１の乾燥器は、乾燥対象物を備える乾燥室を減圧することで、乾燥対象物の水分を低減させて乾燥させることを実現する。
【００１２】
しかしながら、特許文献１は、減圧による乾燥であり、その装置が大がかりとなってコストが高くなる問題がある。また、乾燥対象物を乾燥させる乾燥室内部の気圧が減圧されるので、乾燥室内部での人力による作業が難しくなる問題がある。
【００１３】
特許文献２は、乾燥室１１にその内部の空気を循環させる送風ファン１５とオゾン発生器１６を備え、乾燥室１１内に仕切板１７ａにより仕切られた通路１７が形成され、その通路１７内に、冷却器１８、再熱器１９、ヒータ２０及び除湿ファン２１が前方から後方に向かってこの順序で配置される。除湿ファン２１により冷却器１８及び再熱器１９が有する複数枚のフィンの隙間に乾燥室１１の空気を通過させる。乾燥室１１内の空気中の水分にオゾン発生器１６から発生するオゾンを溶解させて、乾燥室１１内の空気がオゾン水を含むようにし、そのオゾン水を冷却器１８のフィンに凝結、着霜させる除湿過程と、冷却器のフィンに着霜した霜を融かして排水する除霜過程との切り替えることで、オゾン水の酸化作用により、冷却器１８のフィンを除菌、消臭するようにした乾燥機を開示する。
【００１４】
特許文献２は、冷風を乾燥室内部に送り込むことで、室内の湿度を低下させて、乾燥対象物の水分量を低減させていくことができる。すなわち、特許文献２は、冷風乾燥の機能によって、乾燥対象物を乾燥させる。
【００１５】
しかしながら、特許文献２の冷風乾燥装置は、乾燥室内部へ冷風を供給するためにコンプレッサーを使用する。このコンプレッサーは、乾燥室内部の空気と外部の空気とを交換するために動作する。特許文献２の冷風乾燥装置を始めとした一般的な冷風乾燥装置では、このコンプレッサーが、動作時間においては連続運転もしくは必要な能力での全力運転を行っている。
【００１６】
特許文献２であれば、乾燥室内部の乾燥対象物を乾燥させることを目的としている。このため、特許文献２の冷風乾燥装置は、冷風を供給するためのコンプレッサーを連続運転させる。あるいは、乾燥対象物の乾燥を想定した湿度となるレベルに設定された状態での全力運転を、コンプレッサーは行っている。
【００１７】
あるいは、家庭用やオフィス用の一般的な空調機器の冷風乾燥装置能を用いる場合でも、設定された状態での全力運転を、コンプレッサーは行うことになる。
【００１８】
このようなコンプレッサーの連続運転や全力運転（設定レベルでの全力運転）は、コンプレッサーを動作させる電力等のエネルギーの無駄を生じさせる。近年の環境意識の高まりにより、温度や湿度などの調整においても、消費するエネルギーを低減させることが求められている。このため、乾燥対象物を乾燥させる際に、コンプレッサーが、連続運転や設定湿度に対応する全力運転を行うことは好ましくない。
【００１９】
特に、従来技術の冷風乾燥装置は、設定された温度や湿度に対応して、コンプレッサーは全力運転を行う。このため、乾燥対象物の乾燥度合いに関係なく、設定された温度や湿度に対応した運転を、従来技術の冷風乾燥装置は継続させてしまう。このため、従来技術の冷風乾燥装置は、消費エネルギーの無駄を生じさせてしまう。
【００２０】
また、冷風乾燥装置は、乾燥室内部に熱交換器を備える。冷風乾燥装置は、この熱交換器を介して冷風を乾燥室に供給するが、熱交換器が熱交換での冷却によって、結露してしまうことがある。結露した水分は、凍結することもある。この凍結した結露が溶けると、熱交換器の外部である乾燥室に水分が供給されることになる。
【００２１】
すなわち、冷風乾燥装置が冷風を供給して乾燥室内部の湿度をさげる運転を行いながら、取り除いた乾燥室の水分による結露での水分を、再び乾燥室に戻すことを行ってしまう。
【００２２】
大きなエネルギーを消費しながら、結露によって除去した水分の一部を乾燥室内部に戻すことによる無駄も、従来技術の冷風乾燥装置では問題となっていた。
【００２３】
すなわち、従来技術の冷風乾燥装置は、連続運転等によるエネルギーの無駄と、水分の逆戻りによるエネルギーの無駄を生じさせる問題を有していた。
【００２４】
本発明は、上記課題に鑑み、エネルギーの無駄を低減して乾燥対象物を乾燥させる冷風乾燥装置を提供することを目的とする。
【課題を解決するための手段】
【００２５】
上記課題に鑑み、本発明の冷風乾燥装置は、乾燥室内の乾燥対象物を乾燥させる冷風乾燥装置であって、
前記乾燥室内に設置されて、前記乾燥室内の空気中の水分を、冷却によって除去する除湿用熱交換器と、
除湿用熱交換器への冷媒循環を行う圧縮機と、
圧縮機を制御する制御部と、を備え、
制御部は、乾燥対象物の目標水分量に至るまでの制御関係式に基づいて、圧縮機を制御し
目標水分量は、乾燥対象物の種類、量、個数、要求水分量および特性の少なくとも一つで定まる。
【発明の効果】
【００２６】
本発明の冷風乾燥装置は、乾燥対象物の乾燥度合いに応じて最適な運転を行うことができる。乾燥対象物は、乾燥作業によって次第に乾燥度合いが上昇するので、本発明の冷風乾燥装置は、この乾燥度合いの上昇に合わせた運転で、消費エネルギーの無駄を低減できる。
【００２７】
また、本発明の冷風乾燥装置は、凍結した結露を、温度の高い冷媒で溶かした上で、下向きの送風により外部排出を容易化できる。この結果、除去した水分の再供給を生じさせない。
【図面の簡単な説明】
【００２８】
【図１】本発明の実施の形態１における冷風乾燥装置の設置状態の模式図である。
【図２】本発明の実施の形態１における冷風乾燥装置のブロック図である。
【図３】本発明の実施の形態１における除湿用熱交換器３の周辺模式図である。
【図４】本発明の実施の形態１における制御関係式の一例を示すグラフである。
【図５】本発明の実施の形態１における制御関係式の一例を示すグラフである。
【図６】本発明の実施の形態２における冷風乾燥装置のブロック図である。
【図７】本発明の実施の形態３における乾燥モードでの動作状態を示すブロック図である。
【図８】本発明の実施の形態３における解凍モードでの動作状態を示すブロック図である。
【図９】本発明の実施の形態３における除湿用熱交換器の周辺の模式図である。
【発明を実施するための形態】
【００２９】
本発明の第１の発明に係る冷風乾燥装置は、乾燥室内の乾燥対象物を乾燥させる冷風乾燥装置であって、
乾燥室内に設置されて、乾燥室内の空気中の水分を、冷却によって除去する除湿用熱交換器と、
除湿用熱交換器への冷媒循環を行う圧縮機と、
圧縮機を制御する制御部と、を備え、
制御部は、乾燥対象物の目標水分量に至るまでの制御関係式に基づいて、圧縮機を制御し
目標水分量は、乾燥対象物の種類、量、個数、要求水分量および特性の少なくとも一つで定まる。
【００３０】
この構成により、無駄なエネルギーを低減しつつ、乾燥対象物に最適な制御によって、乾燥を行うことができる。
【００３１】
本発明の第２の発明に係る冷風乾燥装置では、第１の発明に加えて、制御関係式は、制御部に動作プログラムとして記憶される。
【００３２】
この構成により、制御部は、予め設定された動作プログラムで動作することができる。
【００３３】
本発明の第３の発明に係る冷風乾燥装置では、第１または第２の発明に加えて、制御関係式は、乾燥対象物の目標水分量に至るまでの時間の要素および乾燥室内部の湿度の要素を含む。
【００３４】
この構成により、乾燥対象物の経験的な乾燥手順に合わせた乾燥を実現できる。
【００３５】
本発明の第４の発明に係る冷風乾燥装置では、第１から第３のいずれかの発明に加えて、制御部は、制御関係式に基づいて、圧縮機の運転期間および停止期間を制御する。
【００３６】
この構成により、エネルギーの無駄を低減できる。
【００３７】
本発明の第５の発明に係る冷風乾燥装置では、第４の発明に加えて、制御部は、乾燥対象物の目標水分量に近づくに従い、圧縮機の運転期間を減少させる。
【００３８】
この構成により、乾燥が進んだところでの過剰な乾燥を防止して、エネルギーの無駄を低減できる。
【００３９】
本発明の第６の発明に係る冷風乾燥装置では、第１から第５のいずれかの発明に加えて、除湿用熱交換器を収容する筐体と、
乾燥室と筐体内部との空気を循環させるファンと、を更に備え、
制御部は、乾燥室内部の湿度に基づいて、ファンの回転数を制御する。
【００４０】
この構成により、筐体に取り込む乾燥室内部の空気の量を調整して、乾燥の促進を変化させることができる。
【００４１】
本発明の第７の発明に係る冷風乾燥装置では、第６の発明に加えて、制御部は、乾燥室内部の湿度が所定値以上の場合には、ファンの回転数を増加させ、乾燥室内部の湿度が所定値未満の場合には、ファンの回転数を減少させる。
【００４２】
この構成により、湿度に合わせて、乾燥度合いを変えることができる。
【００４３】
本発明の第８の発明に係る冷風乾燥装置では、第６または第７の発明に加えて、筐体内部の内部空気を加熱する加熱用熱交換器を更に備え、
加熱用熱交換器は、圧縮機からの気化冷媒を受けて、内部空気を加熱する。
【００４４】
この構成により、冷却された空気による乾燥室内の温度低下を防止できる。
【００４５】
本発明の第９の発明に係る冷風乾燥装置では、第１から第８のいずれかの発明に加えて、乾燥対象物の乾燥状態を検出する検出部を更に備え、
制御部は、乾燥状態に基づいて、圧縮機の運転期間および停止期間を制御する。
【００４６】
この構成により、実際の乾燥対象物の乾燥状態に合わせて、乾燥能力を制御できる。
【００４７】
本発明の第１０の発明に係る冷風乾燥装置では、第９の発明に加えて、乾燥状態は、乾燥対象物の表面水分量および乾燥対象物の内部水分量の少なくとも一つを含む。
【００４８】
この構成により、乾燥対象物の乾燥状態を、正確に把握できる。
【００４９】
本発明の第１１の発明に係る冷風乾燥装置では、第１０の発明に加えて、制御部は、表面水分量および内部水分量の少なくとも一方が小さくなるのに従い、圧縮機の運転期間を減少させる。
【００５０】
この構成により、実際の乾燥対象物の乾燥状態に合わせて、乾燥能力を制御できる。
【００５１】
本発明の第１２の発明に係る冷風乾燥装置では、第８から第１１のいずれかの発明に加えて、圧縮機と加熱用熱交換器の間、加熱用熱交換器および除湿用熱交換器の間および除湿用熱交換器と圧縮機との間のそれぞれは、冷媒循環路で接続され、
乾燥対象物を乾燥させる乾燥モードにおいては、
圧縮機は、気化冷媒を加熱用熱交換器に送出すると共に、除湿用熱交換器からの気化冷媒を受ける循環方向で冷媒を循環させ、
除湿用熱交換器の凍結水分を除去する解凍モードにおいては、
圧縮機は、気化冷媒を除湿用熱交換器に送出すると共に、加熱用熱交換器からの気化冷媒を受ける循環方向で冷媒を循環させる。
【００５２】
この構成により、除湿用熱交換器に凍結した水分を解凍して除去できる。
【００５３】
本発明の第１３の発明に係る冷風乾燥装置では、第１２の発明に加えて、除湿用熱交換器の上方から下方に向けて風を供給する送風ファンを更に備え、
送風ファンは、解凍モードで解凍された除湿用熱交換器の結露水分を下方に落下させる。
【００５４】
この構成により、凍結水分を乾燥室に戻すことを防止できる。
【００５５】
以下、図面を用いて、本発明の実施の形態について説明する。
【００５６】
（実施の形態１）
【００５７】
実施の形態１について説明する。
【００５８】
（全体概要）
まず、実施の形態１における冷風乾燥装置の全体概要について説明する。図１は、本発明の実施の形態１における冷風乾燥装置の設置状態の模式図である。図２は、本発明の実施の形態１における冷風乾燥装置のブロック図である。
【００５９】
冷風乾燥装置１は、乾燥室１０に設置されている。また、乾燥室１０内部には、乾燥対象物２０が載置されている。すなわち、冷風乾燥装置１は、乾燥室１０内部の乾燥対象物２０を乾燥させる。ここで、乾燥対象物２０を乾燥させるとは、水分量を含んだ乾燥対象物２０の水分量を、目標とする目標水分量に至るまで、乾燥対象物２０の水分量を低減させることである。
【００６０】
冷風乾燥装置１は、筐体２、除湿用熱交換器３、圧縮機４、制御部６を備える。図１、図２には、これら以外の要素も示しているが、これらの要素を含んでもよい。これらの要素として、冷風乾燥装置１は、筐体２、冷媒循環路５、加熱用熱交換器７、ファン８を、備える。これらは、必要に応じて設けられれば良い。
【００６１】
冷風乾燥装置１は、筐体２内部に乾燥室１０内部の空気を取り込む。筐体２によって、内部空間が形成され、乾燥室１０に設置された冷風乾燥装置１は、この内部空間と乾燥室１０との間で、空気の入れ替えを行える。この入れ替えの中で、乾燥室１０の空気を、筐体２内部に取り込むことができる。
【００６２】
ファン８は、この乾燥室１０と筐体２内部との空気の入れ替えを行う。
【００６３】
筐体２内部には、除湿用熱交換器３が設置されている。除湿用熱交換器３は、冷媒循環路５で圧縮機４と接続されている。圧縮機４は、除湿用熱交換器３に、冷媒循環路５を介して冷媒の供給と受け取りの循環を行う。この冷媒循環によって、除湿用熱交換器には、液化した液化冷媒が供給される。
【００６４】
液化冷媒は、除湿用熱交換器３に供給されると、除湿用熱交換器３と接する空気を冷却できる。除湿用熱交換器３は、筐体２内部に設けられる。筐体２には、乾燥室１０の空気が流入する。除湿用熱交換器３は、筐体２内部に取り込まれた空気を、液化冷媒で冷却できる。
【００６５】
除湿用熱交換器３で筐体２内部の空気が冷却されると、この空気は露点に達する。露点に達することで、空気中の水蒸気が結露して液体の水分として除去される。除去された水分は、筐体２から乾燥室１０の外部に排出される。このようにして、筐体２に取り込まれた乾燥室１０の空気を除湿できる。
【００６６】
この除湿された空気が筐体２から乾燥室１０に供給され、この空気の取り込み、除湿、供給が繰り返されることで、冷風乾燥装置１は、乾燥室１０の空気を除湿できる。
【００６７】
乾燥室１０の内部の空気が除湿されることで、湿度が低下する。乾燥室１０の湿度が低下することで、乾燥室１０に設置されている乾燥対象物２０も乾燥され、乾燥対象物２０が含む水分量が減少していく。乾燥対象物２０の含む水分が、湿度の低下した乾燥室１０の空気中に水蒸気として放出されるからである。
【００６８】
この乾燥対象物２０の水分を含んだ乾燥室１０の空気は、再び、筐体２内部に取り込まれて除湿用熱交換器３で除湿される。除湿されて再び乾燥室１０に供給されることが繰り返される。この繰り返しの中で、乾燥対象物２０は、次第にその水分量を減少させていく。
【００６９】
ここで、冷風乾燥装置１は、乾燥室１０を除湿することが目的ではなく、乾燥対象物２０を目標とする目標水分量にまで乾燥させることが目的である。従来技術では、冷風乾燥装置では、圧縮機が全力運転を続けており、エネルギーの無駄が生じていた。
【００７０】
実際には、乾燥対象物２０の種類、量、特性などによって、目標水分量までの乾燥では、一本調子の全力乾燥が必要なわけではないことも多い。
【００７１】
制御部６は、圧縮機４の動作を制御する。制御部６は、乾燥対象物２０の目標水分量に至るまでの制御関係式に基づいて、圧縮機４の動作を制御する。すなわち、乾燥対象物２０が目標水分量に減じるまでに圧縮機の運転や停止を切り替える関係式に基づいて、圧縮機４を制御する。この制御によって、圧縮機４の連続的かつ一本調子の全力運転を抑制できる。この抑制によってエネルギーの無駄を低減できる。
【００７２】
ここで、目標水分量は、乾燥対象物２０の種類、量、個数、要求水分量および特性の少なくとも一つに基づいて定められる。要求水分量は、乾燥対象物２０の種類などによって要求される乾燥後の水分量である。
【００７３】
このように、乾燥対象物２０の種類や特性に応じて定まる目標水分量と、これに至るまでの制御関係式に基づいて、制御部６は、圧縮機４を制御する。この制御においては、圧縮機４は、運転や停止を実行する。運転と停止が実行されることで、連続の全力運転よりも、エネルギーの無駄を防止できる。
【００７４】
特に、制御部６は、乾燥対象物２０によって異なる目標水分量となるまでの制御関係式で制御するので、乾燥対象物２０の目標とできる乾燥を実現できる。その中で、最適な能力での運転により、エネルギーも低減できる。
【００７５】
次に、各部の詳細について説明する。
【００７６】
（乾燥室と乾燥対象物）
乾燥室１０は、乾燥対象物２０を収容する空間を持つ設備や施設である。あるいは、それらの一部であって、乾燥対象物２０を収容する空間であればよい。
【００７７】
乾燥対象物２０の種類や特性によって乾燥室１０も異なる。例えば、乾燥対象物２０が魚の干物であれば、乾燥室１０は、干物工場であり、乾燥対象物２０が肉製品であれば、乾燥室１０は、食肉加工場である。あるいは、乾燥対象物２０が工業製品である場合には、乾燥室１０は、工場やその一部である。
【００７８】
乾燥室１０は、乾燥対象物２０を冷風乾燥装置１により乾燥させるので、一定の密閉を実現できることが好ましい。例えば、出入り口が閉鎖可能である。また、乾燥室１０は、冷風乾燥装置１を設置可能であることも好ましい。例えば、壁や天井に設置するスペースが備わっていることが好ましい。
【００７９】
乾燥室１０は、冷風乾燥装置１から供給される除湿された空気を、室内全体に循環させやすい構造を有していることも好適である。例えば、壁や天井の摩擦係数が低かったり、対流しやすいような面となっていたりすることが好適である。あるいは、対流を生じさせるファンを備えていたり、渦流を生じさせる突起物を壁などに備えていたりすることも好適である。
【００８０】
乾燥対象物２０は、乾燥室１０内部に設置される。ここで、図１のように、棚１１に、複数の乾燥対象物２０が設置されていることもよい。例えば、乾燥対象物２０が、干物や食肉のような食材である場合には、複数の食材が乾燥させられることが必要である。このような目的に対応して、複数の乾燥対象物２０を分離して設置できるように、棚１１が用いられることが好適である。
【００８１】
乾燥対象物２０は、干物や食肉などの食材、あるいは工業製品など、その完成までの工程で乾燥を必要とするモノである。この乾燥を必要とすることで、乾燥室１０内に設置されて、冷風乾燥装置１での除湿により乾燥室１０内部の湿度が下がる。この乾燥室１０の湿度低下により、乾燥対象物２０そのものも水分が減少して必要な乾燥が行われる。
【００８２】
ここで、乾燥対象物２０は、一定の乾燥を非常に長期間にわたって継続しなければならないものではない。あるいは、水分量が極めてゼロに近づくまで乾燥させなければならないものではない。
【００８３】
例えば、乾燥対象物２０が、魚の干物である場合には、所定の水分量までに減少させることが必要であるが、ゼロまで乾燥させる必要はない。また、最初の水分量から所定の水分量まで減少させることを必要としているのであって、半永久的に乾燥状態にさらす必要があるものでもない。例えば、乾燥対象物２０の内部水分量を３０％まで減少させることが必要である。
【００８４】
これは、食肉などの食材や工業製品でも同様である。
【００８５】
すなわち、実験室、オフィス、工場、施設などのように、内部に使用者が居る限りは、一定の湿度をずっと維持する必要がある場合とは異なる。
【００８６】
また、乾燥対象物２０によって、最初からあるところまでは早期に乾燥させる必要があり、その後はゆっくりと乾燥させることが必要なものもある。
【００８７】
このように、乾燥対象物２０の乾燥においては、乾燥対象物２０の特性に応じて、目標水分量やその実行時間などがさまざまである。このため、冷風乾燥装置１の運転もこれに合わせて行われる必要がある。制御部６は、この乾燥対象物２０の特性などに応じた目標水分量によって定まる制御関係式で、圧縮機４を制御する。
【００８８】
なお、乾燥対象物２０は、図１のように棚１１におかれてもよいし、吊るされてもよい。また、単一の乾燥対象物２０でもよいし複数の乾燥対象物２０でもよい。また、同一種類の乾燥対象物２０が設置されてもよいし、複数種類の乾燥対象物２０が設置されてもよい。
【００８９】
（筐体）
筐体２は、乾燥室１０内部に設置されて、乾燥室１０の空気の一部を取り込んで除湿する空間を形成する。また、冷風乾燥装置１の必要な要素を格納して、冷風乾燥装置１の外形を形成する。
【００９０】
筐体２内部は、内部空間を有し、取り込んだ乾燥室１０の空気の除湿を行う空間を提供する。このため、筐体２内部に除湿用熱交換器３が設置される。また、冷風乾燥装置１が乾燥室１０に設置できるよう、取付け具などが備わっていることも好適である。
【００９１】
筐体２は、乾燥室１０と筐体２内部との空気を循環させるファン８を備えることも好適である。筐体２が、部分的に開口部分を有していれば、乾燥室１０と筐体２内部とで空気を循環させる（空気を入れ替える）ことは可能である。これに、ファン８が加わることで、この空気循環が促進される。
【００９２】
ファン８が回転することで、空気の流れが生じ、この流れが筐体２内部と乾燥室１０との空気循環を作る。空気循環によって、次々と空気が筐体２内部に流入する。結果として、除湿用熱交換器３で次々と除湿され、除湿された空気が次々と乾燥室１０に供給される。
【００９３】
このように、ファン８の動作によって、乾燥室１０の乾燥が進行しやすくなる。
【００９４】
（除湿用熱交換器）
除湿用熱交換器３は、筐体２内部に設けられると共に、圧縮機４からの液化冷媒を受けて、筐体２内部に取り込まれた空気を冷却する。液化冷媒との熱的な接触により、筐体２内部の空気を冷却できるからである。冷却されると、空気は露点に達する。露点に達すると、空気が含んでいる水蒸気が結露して、液化水分として除去される。
【００９５】
このように、除湿用熱交換器３は、筐体２内部に取り込まれた空気を、冷却により除湿できる。この除湿された空気が乾燥室１０に再放出されることで、乾燥室１０内部の湿度が低下していく。
【００９６】
また、図３のように、除湿用熱交換器３の下にドレンパン２１が備わっていることも好適である。図３は、本発明の実施の形態１における除湿用熱交換器３の周辺模式図である。
【００９７】
除湿用熱交換器３の下にドレンパン２１が設けられている。ドレンパン２１は、乾燥室１０外部に繋がるダクトを備えており（図示せず）、除湿用熱交換器３で除湿されて結露した水分３１を乾燥室１０の外部に排出する。
【００９８】
圧縮機４の動作が制御されることで、除湿用熱交換器３は、液化冷媒を受けて除湿を行い、液化冷媒を受けない期間においては、除湿を行わない。制御部４の運転と停止に合わせて、除湿用熱交換器３の機能発揮が切り替わる。
【００９９】
（加熱用熱交換器）
冷風乾燥装置１は、加熱用熱交換器７を更に備えることも好適である。
【０１００】
加熱用熱交換器７は、筐体２内部に設けられ、筐体２内部の空気を加熱する。筐体２内部では、除湿用熱交換器３で空気が冷却・除湿される。この除湿された空気は冷却されているので、この冷却された空気がそのまま乾燥室１０に供給され続けると、乾燥室１０内部の温度が下がりすぎてしまうことがある。
【０１０１】
このため、加熱用熱交換器７は、除湿用熱交換器３で冷却された筐体２内部の空気を加熱する。この加熱した空気を乾燥室１０に送り出すことで、除湿による温度低下を低減できる。
【０１０２】
ここで、加熱用熱交換器７は、冷媒管路５１で圧縮機４と接続されている。この冷媒管路５１は、気化している気化冷媒を、圧縮機４から加熱用熱交換器７に送出する。加熱用熱交換器７は、この気化冷媒を用いて、熱的に接触する空気を加熱する（温める）。
【０１０３】
ファン８は、加熱された空気を筐体２から乾燥室１０に送り出す。
【０１０４】
また、加熱用熱交換器７と除湿用熱交換器３とは、冷媒管路５２で接続されている。この冷媒管路５２は、加熱用熱交換器７と除湿用熱交換器３との間の冷媒循環を実現する。除湿を行う除湿モードにおいては、加熱用熱交換器７で加熱に使用された気化冷媒は、冷たい空気との熱交換によって液化する。この液化した液化冷媒が、冷媒管路５２を通じて、加熱用熱交換器７から除湿用熱交換器３に送出される。
【０１０５】
除湿用熱交換器３は、この冷媒管路５２を通じて送られる液化冷媒を受けて、筐体２内部の空気を冷却できる。この冷却での熱交換で、除湿用熱交換器３では、液化冷媒が、気化して気化冷媒になる。
【０１０６】
除湿用熱交換器３と圧縮機４とは、冷媒管路５３で接続されている。冷媒管路５３は、気化冷媒を、除湿用熱交換器３から圧縮機４に送出する。圧縮機４には、このように再び気化冷媒が取り込まれ、この気化冷媒を、冷媒管路５１を通じて、加熱用熱交換器７に送出する。
【０１０７】
このように、冷媒循環を最適化して、加熱用熱交換器３は、除湿用熱交換器３で冷却された空気を暖めて、乾燥室１０に送り出す。結果として、除湿を実現しつつ、乾燥室１０の温度低下を防止できる。
【０１０８】
（圧縮機）
圧縮機４は、冷媒を循環させて、除湿用熱交換器３や加熱用熱交換器７に、気化冷媒や液化冷媒を供給できる。
【０１０９】
圧縮機４は、運転を行うことで動作を実現し、運転期間において冷媒の循環を実現する。逆に運転を停止している停止期間では、冷媒循環を停止する。この運転期間において、圧縮機４は、エネルギーを消費する。従来技術の冷風乾燥装置では、この圧縮機が連続運転されており、無駄なエネルギーを消費していた。
【０１１０】
実施の形態１の冷風乾燥装置１は、制御部６によって圧縮機４の運転が制御される。ここで、制御関係式で制御されるので、圧縮機４の運転期間と停止期間が制御される。例えば、乾燥対象物２０が目標水分量に達する最終的な乾燥までにおいて、制御部６は、圧縮機４が運転している期間（運転期間）と停止している期間（停止期間）のそれぞれを、切り替える。すなわち、最終的な乾燥までに、圧縮機４は、停止している停止期間を有するようになる。
【０１１１】
この停止期間によって、圧縮機４は、エネルギーの無駄を防止できる。停止期間は、乾燥対象物２０の最終的な乾燥までにおいて停止させても問題ない期間だからである。
【０１１２】
また、制御部６は、圧縮機４の動作期間と停止期間のみではなく、圧縮機４の運転回転数や運転能力を低減するなどの制御を行うことでもよい。この場合でも、乾燥に必要でない圧縮機４の動作を行うことでの、無駄なエネルギーを防止できるからである。
【０１１３】
（制御部）
【０１１４】
（圧縮機の制御）
制御部６は、制御関係式に基づいて、圧縮機４の動作を制御する。制御関係式は、図４のように、目標水分量に至るまでの時間との関係式である。図４は、本発明の実施の形態１における制御関係式の一例を示すグラフである。
【０１１５】
図４の曲線Ａは、ある乾燥対象物２０の目標水分量までの理想的な水分量の減少を示す水分量減少曲線である。乾燥対象物２０の種類や特性によって、一定の減少ではなく、時間に対する変化曲線での減少が好ましい場合がある。この変化曲線が、曲線Ａである。
【０１１６】
制御関係式は、この曲線Ａに対応する曲線Ｂである。曲線Ａを実現するための曲線Ｂが、制御関係式であり、制御部６は、この曲線Ｂで表される制御関係式で圧縮機４を制御する。曲線Ｂの傾きがなだらかな期間では、制御部６は、圧縮機４の停止期間を長くしたり、停止期間の発生数を多くしたりする。曲線Ｂの傾きが急な期間では、制御部６は、圧縮機４の運転期間を長くしたり、運転期間の発生数を多くしたりする。
【０１１７】
このように、乾燥対象物２０の目標水分量に至るまでの水分量減少曲線に基づく制御関係式（曲線Ｂ）で、制御部６が熱交換器４を制御する。この結果、最適な乾燥が実現されると共に、無駄なエネルギーを低減できる。特に、乾燥対象物２０の特性に対応した乾燥により、最適な干物などの製造が実現できる。
【０１１８】
このように制御関係式は、乾燥対象物２０の目標水分量に至るまでの時間の要素を含む。あるいは、図５のように、乾燥室の湿度の要素を含む制御関係式でもよい。図５は、本発明の実施の形態１における制御関係式の一例を示すグラフである。
【０１１９】
曲線Ｃは、乾燥室１０の湿度と時間の関係での制御関係式である。この制御関係式は、乾燥対象物２０の目標水分量までの経緯である曲線Ａに基づいている。このとき、制御部６が参照するのが乾燥室１０の湿度である制御関係式であり、この制御関係式で、制御部６は、熱交換器４を制御する。
【０１２０】
この場合も、最適な乾燥が実現されると共に、無駄なエネルギーを低減できる。
【０１２１】
なお、制御関係式は、制御部６が備える記憶部に、動作プログラムとして記憶されればよい。制御部６は、メモリなどの記憶部とプロセッサを備え、コンピュータープログラムを動作可能である。このコンピュータープログラムとしての動作プログラムとして、制御関係式が記憶部に記憶される。この記憶によって、制御部６は、制御関係式で、圧縮機４を制御する。上述のように、圧縮機４の運転期間と停止期間を制御する（それぞれの切り替え時刻、時間、回数など）。
【０１２２】
また、制御部６は、乾燥対象物２０の目標水分量に近づくに従い、圧縮機４の運転期間を減少させることも好適である。目標水分量に近づくに従い、乾燥に必要なエネルギーを小さくしてもよいからである。この結果、無駄なエネルギーの低減が更に進む。
【０１２３】
なお、制御部６は、制御関係式を動作プログラムとして記憶してもよいし、外部の操作装置に記憶させてもよい。制御関係式は、関係式、グラフ、その他で定義されればよい。
【０１２４】
（ファンの制御）
制御部６は、筐体２に設けられるファン８を制御することも好適である。ファン８は、筐体２に設けられ、筐体２と乾燥室１０との間で空気の入れ替えを行う。この空気の入れ替えの度合いは、乾燥対象物２０の乾燥度合いの進行に係る。このことから、制御部６は、ファン８の動作も制御することで、乾燥対象物２０の乾燥進行を制御できる。
【０１２５】
このとき、制御部６は、ファン８の回転数を制御する。特に、乾燥室１０内部の湿度に基づいて、ファン８の回転数を制御する。制御部６は、乾燥室１０内部の湿度が所定値以上の場合には、ファン８の回転数を増加させる。乾燥室１０内部の湿度が高い場合には、乾燥対象物２０の乾燥の進行が不十分になる。この場合には、乾燥室１０内部の空気をより多くより速く筐体２内部に取り込んで、除湿用熱交換器３で除湿することが必要である。ファン８の回転数が増加することで、筐体２内部への空気の取り込み速度が速くなり、除湿用熱交換器３による除湿が促進される。
【０１２６】
逆に、制御部６は、乾燥室１０内部の湿度が所定値未満の場合には、ファン８の回転数を減少させる。乾燥室１０内部の湿度が十分に低いことで、筐体２への空気の取り込み速度が遅くても問題ないからである。ファン８の回転数を、乾燥対象物２０の乾燥において問題が無い程度に低下させることで、エネルギーの無駄を低減できるメリットもある。
【０１２７】
以上のように、実施の形態１における冷風乾燥装置１は、エネルギーの無駄を低減しつつ、乾燥対象物２０によって定まる最適な制御で、乾燥対象物２０を乾燥させることができる。
【０１２８】
（実施の形態２）
【０１２９】
次に、実施の形態２について説明する。
【０１３０】
図６は、本発明の実施の形態２における冷風乾燥装置のブロック図である。実施の形態２の冷風乾燥装置１は、乾燥対象物２０の乾燥状態を検出する検出部９を更に備える構成を有する。この検出部９によって、制御部６は、圧縮機４を制御する。
【０１３１】
検出部９は、乾燥対象物２０の乾燥状態を検出する。検出部９は、検出した乾燥状態の結果を、制御部６に出力する。制御部６は、この乾燥状態に基づいて、圧縮機４を制御する。すなわち、圧縮機４の運転期間および停止期間を制御する。
【０１３２】
乾燥対象物２０が魚介類の干物や食肉などであれば、検出部９は、乾燥対象物２０の内部にセンサーを挿入して、その乾燥対象物２０の乾燥状態を検出する。
【０１３３】
あるいは、検出部９は、乾燥対象物２０の周囲の湿度を測定したり、乾燥対象物２０と接触することでその湿度を測定したりする。このような湿度の測定によって、検出部４は、乾燥対象物２０の乾燥状態を検出する。
【０１３４】
あるいは、検出部９は、乾燥室１０内部の湿度を検出することで、乾燥対象物２０の乾燥状態を検出する。このとき、乾燥室１０と乾燥対象物２０（の種類や量、乾燥度合いの目標）との相関関係により、検出部９は、乾燥室１０の湿度に基づいて、乾燥対象物２０の乾燥状態を検出する。
【０１３５】
このように、検出部９は、直接的あるいは間接的な手法で、乾燥対象物２０の乾燥状態を検出する。このために、検出部９は、湿度計、温度計、水分センサーなどを備えている。
【０１３６】
ここで、乾燥状態は、乾燥対象物２０の表面水分量および乾燥対象物２０の内部水分量の少なくとも一つを含む。これらのいずれかもしくは組み合わせについて検出することで、乾燥対象物２０に必要となる乾燥目標に基づく、現在の乾燥状態を把握することができる。特に、乾燥対象物２０の種類、量、特性によって、乾燥状態としてより把握の適切な方法で、乾燥状態を検出できる。
【０１３７】
例えば、乾燥対象物が魚介類の干物である場合には、種類によって、表面の水分量が乾燥状態の把握として重要であることもある。あるいは、種類によっては、内部の水分量が乾燥状態の把握として重要であることもある。あるいは、表面と内部の両方の水分量が、乾燥状態の把握として重要であることもある。
【０１３８】
これは、乾燥対象物が食肉である場合も、同様に、いくつかの指標によって乾燥状態を把握することが重要である。
【０１３９】
検出部９は、このように複数の指標のいずれかまたは組み合わせによって、乾燥対象物２０の乾燥状態をより高い精度で検出できる。
【０１４０】
また、乾燥状態は、乾燥対象物２０の目標水分量と現水分量の水分量差分であってもよい。乾燥対象物２０は、その種類や特性によって、乾燥目標となる目標水分量が設定される。冷風乾燥装置１は、乾燥対象物２０のこの目標水分量を前提に、乾燥対象物２０の乾燥を実現しようとする。このため、乾燥状態として、目標水分量と現水分量との水分量差分が使用されることも好適である。
【０１４１】
検出部９は、現在の水分量に基づく乾燥状態と、現在の水分量と目標水分量との差分による相対的な乾燥状態との両方を、乾燥状態として検出できる。検出部９は、検出した乾燥状態の結果を、制御部６に出力する。制御部６は、この結果に従って圧縮機４を制御する。
【０１４２】
このように、検出部９によって乾燥対象物２０の乾燥状態が検出され、この乾燥状態に応じて制御部６は、圧縮機４の動作を制御する。この制御によって、乾燥対象物２０の実際の乾燥状態を反映して、除湿熱交換器３の動作能力が変化する。この変化によって、より実際の乾燥状態に基づいて、乾燥対象物２０の乾燥を進行させることができる。
【０１４３】
なお、制御部６は、乾燥対象物２０の表面水分量および内部水分量の少なくとも一方が小さくなるのに従い、圧縮機４の運転期間を減少させることも好ましい。乾燥対象物２０の乾燥が進んでいくのに合わせて、運転期間を減少させて、エネルギーの無駄を防止できるからである。
【０１４４】
以上のように、実施の形態２の冷風乾燥装置１は、乾燥対象物２０の実際の乾燥状態（乾燥度合い）に合わせて、エネルギーの無駄を低減しつつ乾燥対象物２０を乾燥させることができる。
【０１４５】
（実施の形態３）
【０１４６】
次に、実施の形態３について説明する。実施の形態２では、除湿用熱交換器３に生じる結露による問題を解決する構成や機能について説明する。
【０１４７】
除湿用熱交換器３は、液化冷媒の供給によって接触する空気を冷却し、除湿する。この動作を繰り返す中で、除湿用熱交換器３そのものも冷却されて、露点に達して生じる水分が、除湿用熱交換器３に結露してしまうことがある。更に、冷却により、結露した水分が凍結してしまうことがある。
【０１４８】
この凍結した結露は、乾燥室１０内部の温度変化や冷媒供給量の変化によってやがて溶ける。しかしながら、このような外部環境の変化によって溶ける場合には、溶けた水分が再び乾燥室１０内部に水蒸気となって供給されてしまう。
【０１４９】
このように凍結した結露が再び水蒸気となって乾燥室１０内部に戻ることは、圧縮機４のエネルギーを用いて乾燥させたことに逆行し、無駄である。また、結露が凍結することは、除湿用熱交換器３の動作能力を下げることにもなり、好ましくない。凍結によって動作能力が下がってしまえば、やはり圧縮機４のエネルギー効率が悪くなる。
【０１５０】
ここで、圧縮機４は、乾燥対象物２０を乾燥させる乾燥モードと、除湿用熱交換器の凍結水分を除去する解凍モードの２つで、動作を切り替えることができる。後者の解凍モードにおいて、圧縮機４は、除湿用熱交換器３の凍結水分を解凍しつつ、乾燥室１０内部に戻さない。
【０１５１】
図７は、本発明の実施の形態３における乾燥モードでの動作状態を示すブロック図である。図８は、本発明の実施の形態３における解凍モードでの動作状態を示すブロック図である。
【０１５２】
図７での乾燥モードでは、圧縮機４からの冷媒循環方向は、圧縮機４、加熱用熱交換器７、除湿用熱交換器３、圧縮機４の順序である。このとき、圧縮機４は、気化冷媒を冷媒管路５１を介して、加熱用熱交換器７に送出する。
【０１５３】
加熱用熱交換器７は、この気化冷媒を用いて、熱的に接触する筐体２内部の空気を加熱する。この加熱により、冷却された空気を再加熱して乾燥室１０に送り出し、乾燥室１０の温度低下を低減できる。
【０１５４】
この加熱用熱交換器７では、気化冷媒が空気との接触により冷やされて、液化して液化冷媒となる。加熱用熱交換器７は、冷媒管路５２を通じて、液化冷媒を、除湿用熱交換器３に送出する。
【０１５５】
除湿用熱交換器３では、液化冷媒によって熱的に接触する筐体２内部の空気を冷却する。冷却により露点に達して、水分を除去する。
【０１５６】
除湿用熱交換器３では、液化冷媒と空気の接触により液化冷媒が気化し、気化冷媒が、冷媒管路５３を通じて、圧縮機４に還流する。
【０１５７】
乾燥モードでは、図７の冷媒管路の矢印の方向で、冷媒が循環していく。
【０１５８】
一方で、図８の解凍モードでは、冷媒循環方向が逆になる。すなわち、圧縮機４、除湿用熱交換器３、加熱用熱交換器７、圧縮機４の順序での冷媒循環方向が形成される。図８の冷媒管路の矢印は、この冷媒循環方向を示している。
【０１５９】
圧縮機４から、冷媒管路５３を通じて、気化冷媒を除湿用熱交換器３に送出する。この気化冷媒の送り込みにより、除湿用熱交換器３は、その温度を上げることができる。この温度上昇によって、凍結している凍結水分を解凍できる。
【０１６０】
除湿用熱交換器３では、気化冷媒が液化して液化冷媒になる。この液化冷媒は、加熱用熱交換器７に送出され、加熱用熱交換器７で液化冷媒が気化されて、最終的に気化冷媒が、圧縮機４に戻される。
【０１６１】
このように冷媒循環方向を逆にすることで、除湿用熱交換器３に凍結した水分を解凍することができる。
【０１６２】
また、除湿用熱交換器３の上方から下方に向けて風を供給する送風ファンを更に備えることも好適である。図９は、本発明の実施の形態３における除湿用熱交換器の周辺の模式図である。
【０１６３】
上述したように、解凍モードにおいて、除湿用熱交換器３に凍結した水分を解凍できる。この解凍によって、水滴３１が発生する。この水滴３１は、下方に落下して、ドレンパン２１に受け止められる。ドレンパン２１は、乾燥室１０外部にダクトを繋げており、受け止めた水滴３１を乾燥室１０内部に戻すことなく、外部に排出できる。
【０１６４】
このとき、送風ファン３５が備わっていることで、除湿用熱交換器３に付着している解凍された水分を、水滴３１として落下させやすくなる。落下させやすくなることで、解凍された水分を、効率的に除去することができる。
【０１６５】
加えて、送風ファン３５は、下方に落下させることで、ドレンパン２１に水滴３１を落下させて、外部への排出を促すことができる。
【０１６６】
このように、凍結した水分は、乾燥室１０内部に再び戻されることなく、乾燥室１０外部に排出される。除湿用熱交換器３で凍結する結露は、冷却によって露点に達して取り除かれるはずの水分である。一旦取り除かれた水分が外部に排出できないことは、乾燥のためのエネルギーが無駄である。二重のエネルギーを必要としてしまう。
【０１６７】
これに対して、解凍モードでの冷媒循環で凍結を解凍し、送風ファン３５で解凍された水滴３１をドレンパン２１に集めることで、乾燥室１０に再度戻すことなく、乾燥室１０の外部に排出できることで、エネルギーの無駄が削減できる。
【０１６８】
以上のように、実施の形態３の冷風乾燥装置１は、結露の凍結によるエネルギーの無駄を削減できる。
【０１６９】
以上、実施の形態１〜３で説明された冷風乾燥装置は、本発明の趣旨を説明する一例であり、本発明の趣旨を逸脱しない範囲での変形や改造を含む。
【符号の説明】
【０１７０】
１    冷風乾燥装置
２    筐体
３    除湿用熱交換器
４    圧縮機
５    冷媒循環路
５１、５２，５３    冷媒管路
６    制御部
７    加熱用熱交換器
８    ファン
９    検出部
【図１】
2017146052.tif 000003
【図２】
2017146052.tif 000004
【図３】
2017146052.tif 000005
【図４】
2017146052.tif 000006
【図５】
2017146052.tif 000007
【図６】
2017146052.tif 000008
【図７】
2017146052.tif 000009
【図８】
2017146052.tif 000010
【図９】
2017146052.tif 000011